(57)【要約】【課題】掬い部で掬い取った粉体を他の容器等に入れるにあたり、粉体の溢れを防止することができるスプーンを提供する。【解決手段】本発明のスプーンは、掬い部２ａ及び柄部２ｆを有するスプーン本体２と、柄部２ｆに対して回転可能に支持される支持部３ｆ、及び支持部３ｆにつながるとともに支持部３ｆの回転に伴って掬い部２ａを閉鎖する位置と掬い部２ａを開放する位置との間で移動する遮蔽部３ａを有する蓋体３とを備え、柄部２ｆは、凹状をなす掬い部２ａの開口縁につながるとともに平面状に延在するものであって、支持部３ｆは、柄部２ｆが延在する平面に沿って回転可能に支持されるものである。【選択図】図１
2018204961.tif 000002
【特許請求の範囲】
【請求項１】
掬い部及び該掬い部につながる柄部を有するスプーン本体と、
前記柄部に対して回転可能に支持される支持部、及び該支持部につながるとともに該支持部の回転に伴って前記掬い部を閉鎖する位置と該掬い部を開放する位置との間で移動する遮蔽部を有する蓋体とを備えるスプーンであって、
前記柄部は、凹状をなす前記掬い部の開口縁につながるとともに平面状に延在するものであって、
前記支持部は、前記柄部が延在する平面に沿って回転可能に支持されるスプーン。
【請求項２】
前記スプーン本体及び前記蓋体の少なくとも一方は、前記遮蔽部が前記掬い部を閉鎖する位置において、他方に対して当接して前記支持部の回転を停止させるストッパーを有する請求項１に記載のスプーン。
【請求項３】
前記柄部及び前記支持部の何れか一方において、該支持部が回転する際の回転中心よりも後方に位置する部位は、前記遮蔽部が前記掬い部を閉鎖する位置において、他方に対して突出する突出部を有する請求項１又は２に記載のスプーン。
【請求項４】
前記遮蔽部は、前記掬い部が凹む向きとは反対に凹むものである請求項１〜３の何れか一項に記載のスプーン。
【請求項５】
前記遮蔽部の内容積は、前記掬い部の内容積に対して相異するものである請求項４に記載のスプーン。
【請求項６】
前記掬い部は、平面状の前方周壁を有する請求項１〜５の何れか一項に記載のスプーン。
【発明の詳細な説明】
【技術分野】
【０００１】
本発明は、粉末の調味料や食品、各種の洗剤等を掬う際に使用されるスプーンに関する。
【背景技術】
【０００２】
粉末の調味料や食品、各種の洗剤等の粉体を掬う際には、一般にスプーンが使用されている（例えば特許文献１、２を参照）。このようなスプーンは、上方が開放された凹状の掬い部を有していて、容器に収容した粉末の調味料等を鍋や他の容器等に入れる際には、この掬い部に調味料等を掬い取って他の容器等へ向けてスプーンを移動させる。
【先行技術文献】
【特許文献】
【０００３】
【特許文献１】特開２０１０−２３０３７６号公報
【特許文献２】特開２００４−１９１２４８号公報
【発明の概要】
【発明が解決しようとする課題】
【０００４】
ところで、粉体を掬い取って他の容器等に入れる際には、多くの場合、この作業だけではなく他の作業も一緒に行っている。例えば料理を行う場合は、使用中の調理器具（お玉杓子等）を片手に持ったまま、もう一方の手にスプーンを持って掬い取った調味料等を鍋まで移動させることがある。また、乳児に与えるミルクを作る際には、片手で乳児を抱いたまま、もう一方の手に持ったスプーンで粉ミルクを掬い取って哺乳瓶へ入れることがある。
【０００５】
一方、掬い部は上方が開放した状態になっていることから、特に、他の作業を伴う場合には、掬い取った粉体を移動する際や他の容器等に入れる際に粉体を溢してしまうことがある。しかも掬い部は、その上縁まで粉体を満たすことによって所定の量が計り取れるように設計されていることが一般的であるため、掬い部が粉体で満たされる状態で使用されることが多く、粉体が溢れてしまう不具合が生じやすくなっている。
【０００６】
本発明は、このような問題点を解決することを課題とするものであり、掬い部で掬い取った粉体を他の容器等に入れるにあたり、粉体の溢れを防止することができるスプーンを提供することを目的とする。
【課題を解決するための手段】
【０００７】
本発明は、掬い部及び該掬い部につながる柄部を有するスプーン本体と、
前記柄部に対して回転可能に支持される支持部、及び該支持部につながるとともに該支持部の回転に伴って前記掬い部を閉鎖する位置と該掬い部を開放する位置との間で移動する遮蔽部を有する蓋体とを備えるスプーンであって、
前記柄部は、凹状をなす前記掬い部の開口縁につながるとともに平面状に延在するものであって、
前記支持部は、前記柄部が延在する平面に沿って回転可能に支持されるスプーンである。
【０００８】
前記スプーン本体及び前記蓋体の少なくとも一方は、前記遮蔽部が前記掬い部を閉鎖する位置において、他方に対して当接して前記支持部の回転を停止させるストッパーを有することが好ましい。
【０００９】
前記柄部及び前記支持部の何れか一方において、該支持部が回転する際の回転中心よりも後方に位置する部位は、前記遮蔽部が前記掬い部を閉鎖する位置において、他方に対して突出する突出部を有することが好ましい。
【００１０】
前記遮蔽部は、前記掬い部が凹む向きとは反対に凹むものであることが好ましい。
【００１１】
前記遮蔽部の内容積は、前記掬い部の内容積に対して相異するものであることが好ましい。
【００１２】
前記掬い部は、平面状の前方周壁を有することが好ましい。
【発明の効果】
【００１３】
本発明のスプーンによれば、蓋体を回転させることによって、遮蔽部を、掬い部を閉鎖する位置と該掬い部を開放する位置との間で移動させることができる。このため粉体を掬い取った後は、蓋体を回転させて遮蔽部で掬い部を閉鎖することによって、粉体の溢れを防止することができる。また柄部は、凹状をなす掬い部の開口縁につながるとともに平面状に延在するものであり、支持部は、柄部が延在する平面に沿って回転可能に支持されるものであるので、遮蔽部によって掬い部を閉鎖する際には、掬い部の余分な粉体をすり切ることができる。このため、一定量の粉体を掬い取ることができる。
【図面の簡単な説明】
【００１４】
【図１】本発明に従うスプーンの一実施形態につき、スプーン本体に対して蓋体を上方に位置させた姿勢で掬い部を開放した状態を示す斜視図である。
【図２】図１に示すスプーンにつき、スプーン本体に対して蓋体を上方に位置させた姿勢で掬い部を閉鎖した状態を示す斜視図である。
【図３】図２に示す状態のスプーンを、角度を変えて示した斜視図である。
【図４】図１に示すスプーン本体を示す、（ａ）は背面図であり、（ｂ）は底面図であり、（ｃ）は側面図であり、（ｄ）は平面図である。
【図５】図１に示す蓋体を示す、（ａ）は背面図であり、（ｂ）は底面図であり、（ｃ）は側面図であり、（ｄ）は平面図である。
【発明を実施するための形態】
【００１５】
以下、図面を参照しながら本発明に従うスプーンの一実施形態について説明する。なお、本明細書等においては、スプーン本体の柄部に対して掬い部が位置する側を前方とし、逆側を後方として説明する。
【００１６】
図１〜図５に示した本実施形態のスプーン１は、スプーン本体２と蓋体３とで構成されている。
【００１７】
スプーン本体２は、凹状をなしていて粉体を掬い取ることができる掬い部２ａを備えている。本実施形態の掬い部２ａは、図４（ｃ）に示すように、前後方向に平面状に延在する底壁２ｂと、底壁２ｂの前方縁部に連結するとともに底壁２ｂに対して略垂直になる平面状の前方周壁２ｃと、底壁２ｂの両側方縁部に連結するとともに底壁２ｂに対して略垂直になる平面状の側方周壁２ｄと、底壁２ｂの後方縁部に連結するとともに底壁２ｂに対して前方から後方に向かって傾斜する平面状の後方周壁２ｅとで形成されている。
【００１８】
掬い部２ａの後方には、掬い部２ａの開口縁につながるとともに平面状に延在する柄部２ｆが設けられている。柄部２ｆは、図４（ｄ）に示すように、前後方向に直線状に延びる前方部分２ｇと、前方部分２ｇの延在する向きに対して傾いて延びる後方部分２ｈとで構成されている。前方部分２ｇと後方部分２ｈとの連結部には、底壁２ｂが位置する側とは逆側に突出する円筒状の軸部２ｊが設けられている。更に軸部２ｊの外周面には、径方向外側に向けて広がる抜け止めリング２ｋが設けられている。
【００１９】
蓋体３は、図１〜図３に示すように、掬い部２ａを閉鎖する位置と掬い部２ａを開放する位置との間で移動する遮蔽部３ａを備えている。本実施形態における遮蔽部３ａは、掬い部２ａと合わさったときに掬い部２ａが凹む向きとは反対に向きに凹状をなすものである。なお、掬い部２ａの内容積Ｖ１は、遮蔽部３ａの内容積Ｖ２よりも大きくなっている。図５に示すように遮蔽部３ａは、平面状になる天壁３ｂと、天壁３ｂの前方縁部に連結するとともに天壁３ｂに対して後方から前方に向かって傾斜する平面状の前方周壁３ｃと、天壁３ｂの両側方縁部に連結するとともに天壁３ｂに対して略垂直になる平面状の側方周壁３ｄと、天壁３ｂの後方縁部に連結するとともに天壁３ｂに対して前方から後方に向かって傾斜する平面状の後方周壁３ｅとで形成されている。
【００２０】
遮蔽部３ａの後方には、遮蔽部３ａの開口縁につながるとともに平面状に延在する支持部３ｆが設けられている。本実施形態の支持部３ｆは、上述した前方部分２ｇと同様に前後方向に直線状に延びていて、またその幅も前方部分２ｇと略同じである。また支持部３ｆの前方部分には、天壁３ｂが位置する側とは逆側に突出する板状のストッパー３ｇが設けられている。そして支持部３ｆの後方部分には、軸部２ｊに適合するサイズとなる円形状の軸穴３ｈが設けられている。
【００２１】
このような形態になるスプーン本体２と蓋体３にあっては、軸穴３ｈに軸部２ｊを挿入することによって、支持部３ｆは柄部２ｆが延在する平面に沿って回転可能に支持される。なお、抜け止めリング２ｋによって、支持部３ｆはスプーン本体２に対して抜け止め保持されている。
【００２２】
本実施形態のスプーン１では、図１に示すようにして掬い部２ａを開放することができる。そしてこの状態で容器に収容した粉体に対してスプーン１を差し込み、更に図２に示すように、スプーン本体２に対して蓋体３を回転させる。これにより、掬い部２ａが遮蔽部３ａで閉鎖され、掬い部２ａと遮蔽部３ａの内部に粉体を収容することができる。なお、図１に示すように掬い部２ａが開放された状態にあっては、柄部２ｆの前方部分２ｇと支持部３ｆとが左右方向にずれているため、片手が塞がっている場合でも、もう一方の手でこれらの側縁部に指をかけて互いが近づくように押圧すれば、簡単に図２に示す状態へ動かすことができる。
【００２３】
なお、本実施形態にあっては、図１〜図３に示すように、蓋体３にストッパー３ｇを設けていて、ストッパー３ｇは、遮蔽部３ａが掬い部２ａを閉鎖する位置において、柄部２ｆの前方部分２ｇにおける側縁部に当接する。すなわち、スプーン本体２に対して蓋体３を回転させた際、ストッパー３ｇは蓋体３の回転を停止させる回り止めとして機能するため、掬い部２ａが遮蔽部３ａで閉鎖される状態が安定的に維持される。
【００２４】
ここで、掬い部２ａと遮蔽部３ａの両方が粉体で満たされる場合は、それぞれの内容積の合計であるＶ１＋Ｖ２の量の粉体を掬い取ることができる。また、図１に示すようにスプーン本体２に対して蓋体３を上方に位置させた姿勢で粉体を掬い取る場合は、蓋体３を回転させることによって遮蔽部３ａが掬い部２ａを閉鎖する位置へ移動し、これによって掬い部２ａに余分な粉体が収容される場合であっても、これをすり切ることができる。すなわち、Ｖ１の量の粉体を掬い取ることができる。同様にして、蓋体３に対してスプーン本体２を上方に位置させた姿勢で粉体を掬い取る場合は、遮蔽部３ａに収容される余分な粉体をすり切ることができるため、Ｖ２の量の粉体を掬い取ることができる。このように本実施形態のスプーン１にあっては、粉体を３種類の量で計り取ることができる。
【００２５】
このようにして粉体を掬い取った後は、図２に示すように、スプーン本体２と蓋体３とを閉じた状態にして他の容器等へ移動することができるため、移動中に掬い取った粉体が溢れてしまうことがない。
【００２６】
そして他の容器まで移動させた後は、蓋体３を回転させて掬い部２ａと遮蔽部３ａとを開放すれば、掬い取った粉体をその容器内へ入れることができる。ところで本実施形態にあっては、柄部２ｆの前方部分２ｇに対して、支持部３ｆは同方向に延在するとともに略同幅であるため、前方部分２ｇと支持部３ｆは、図２、図３に示すように遮蔽部３ａが掬い部２ａを閉鎖する位置において左右方向に突出することなく重なっているものの、柄部２ｆの後方部分２ｈは、前方部分２ｇの延在する向きに対して傾いて延びているため、支持部３ｆに対して左右方向に突出することになる（換言すると、後方部分２ｈは、遮蔽部３ａが掬い部２ａを閉鎖する位置において、支持部３ｆに対して突出する突出部である）。これにより、掬い部２ａと遮蔽部３ａの内部に収容した粉体を他の容器等に入れる際には、支持部３ｆから突出する後方部分２ｈを左右方向に押圧することによって、簡単に図１に示す状態へ動かすことができる。
【００２７】
本発明に従うスプーンは、これまでに説明した実施形態に限られるものではなく、特許請求の範囲に従う範疇で種々の変更を加えたものも含まれる。例えば本実施形態において、柄部２ｆの後方部分２ｈは、図１、図２に示すようにスプーン本体２に対して蓋体３を上方に位置させた姿勢で前方から後方に向かって視る際に、前方部分２ｇに対して左に傾くように延在しているが、右に傾くように延在させてもよい。なおこの場合、蓋体３の右側に設けているストッパー３ｇは、左側に設けることが好ましい。また、スプーン本体２に換えて、蓋体３における支持部３ｆの後方部分を前方部分に対して傾けて延在させてもよい。また本実施形態では、柄部２ｆの前方部分２ｇに対して後方部分２ｈを傾けて延在させることによって、上述した突出部が形成されるように構成したが、後方部分が前方部分と同方向に延在する場合でも、後方部分の側縁部に突起を設けることによって突出部を形成することができる。このような突出部は、蓋体３の支持部３ｆに設けてもよい。また、蓋体３に設けたストッパー３ｇは、スプーン本体２に設けてもよい。そして遮蔽部は、上述したように凹状になることが好ましいが、平面状であってもよい。
【符号の説明】
【００２８】
１：スプーン
２：スプーン本体
２ａ：掬い部
２ｂ：底壁
２ｃ：前方周壁
２ｄ：側方周壁
２ｅ：後方周壁
２ｆ：柄部
２ｇ：前方部分
２ｈ：後方部分
２ｊ：軸部
２ｋ：抜け止めリング
３：蓋体
３ａ：遮蔽部
３ｂ：天壁
３ｃ：前方周壁
３ｄ：側方周壁
３ｅ：後方周壁
３ｆ：支持部
３ｇ：ストッパー
３ｈ：軸穴
【図１】
2018204961.tif 000003
【図２】
2018204961.tif 000004
【図３】
2018204961.tif 000005
【図４】
2018204961.tif 000006
【図５】
2018204961.tif 000007